(57)【要約】【課題】サムネイルの元となる動画の識別力を高めることができるサムネイル生成装置を提供する。【解決手段】サムネイル表示装置は、動画から複数の区間をユーザに指定させる指定手段と、前記複数の区間の動画における位置を記憶する記憶手段と、前記複数の区間の動画を結合する結合手段と、サムネイル表示指示を受けると、前記複数の区間のうち所定数の区間の先頭画像それぞれを１つのサムネイル領域に表示する表示手段とを備えたことを特徴とする。【選択図】図３
2010081277.tif 000002
【特許請求の範囲】
【請求項１】
１つの動画を構成する複数区間のうち、最初から複数の所定数の区間の先頭画像それぞれを１つのサムネイル領域に表示することを特徴とするサムネイル表示装置。
【請求項２】
前記複数区間のそれぞれは、ユーザにより選択された区間であることを特徴とする請求項１記載のサムネイル表示装置。
【請求項３】
前記複数区間のそれぞれは、ユーザによりプレイリストとして選択された区間であることを特徴とする請求項１記載のサムネイル表示装置。
【請求項４】
動画から複数の区間をユーザに指定させる指定手段と、
前記複数の区間の動画における位置を記憶する記憶手段と、
前記複数の区間の動画を結合する結合手段と、
サムネイル表示指示を受けると、前記複数の区間のうち所定数の区間の先頭画像それぞれを１つのサムネイル領域に表示する表示手段とを備えたことを特徴とするサムネイル表示装置。
【請求項５】
指定手段が、動画から複数の区間をユーザに指定させる指定ステップと、
前記複数の区間の動画における位置を記憶手段に記憶する記憶ステップと、
結合手段が、前記複数の区間の動画を結合する結合ステップと、
サムネイル表示指示を受けると、表示手段が、前記複数の区間のうち所定数の区間の先頭画像それぞれを１つのサムネイル領域に表示する表示ステップとを備えたことを特徴とするサムネイル表示方法。
【請求項６】
コンピュータに、
動画から複数の区間をユーザに指定させる指定ステップと、
前記複数の区間の動画における位置を記憶手段に記憶させる記憶ステップと、
前記複数の区間の動画を結合する結合ステップと、
サムネイル表示指示を受けると、表示手段が、前記複数の区間のうち所定数の区間の先頭画像それぞれを１つのサムネイル領域に表示させる表示ステップとを実行させることを特徴とするプログラム。
【発明の詳細な説明】
【技術分野】
【０００１】
本発明は、サムネイルの表示方法に関する。
【背景技術】
【０００２】
従来より、写真や動画のファイルをサムネイル表示する技術が知られている。
【０００３】
このような技術により、録画した番組を編集して動画ファイルを作ると、編集後の動画ファイルのサムネイルを表示させることができる。このサムネイルは、通常、動画の先頭のフレームの画像である場合が多い。もちろん、このような動画が複数あれば、その動画ファイルのサムネイルを一覧表示させることもできる。
【０００４】
なお、例えば、特許文献１には、ＤＶＤに記録された映像番組等のコンテンツを示す映像のサムネイルを一覧表示する技術が開示されている。
【０００５】
【特許文献１】特開２００７−１１５２９８号公報
【発明の開示】
【発明が解決しようとする課題】
【０００６】
ところで、複数の動画ファイルのサムネイルの一覧を表示する際、動画の先頭のフレームの画像が同一である場合には、サムネイルも同一となってしまい、ユーザは、動画ファイル同士を簡単に識別することが困難になってしまう。
【０００７】
このような不便は、同じ番組をいろいろなパターンで編集した場合によく起こる。
【０００８】
そこで、本発明は、サムネイルの元となる動画の識別力を高めることができるサムネイル生成装置を提供することを目的とする。
【課題を解決するための手段】
【０００９】
本発明の第１のサムネイル表示装置は、１つの動画を構成する複数区間のうち、最初から複数の所定数の区間の先頭画像それぞれを１つのサムネイル領域に表示することを特徴とする。
【００１０】
本発明の第２のサムネイル表示装置は、動画から複数の区間をユーザに指定させる指定手段と、前記複数の区間の動画における位置を記憶する記憶手段と、前記複数の区間の動画を結合する結合手段と、サムネイル表示指示を受けると、前記複数の区間のうち所定数の区間の先頭画像それぞれを１つのサムネイル領域に表示する表示手段とを備えたことを特徴とする。
【００１１】
本発明のサムネイル表示方法は、指定手段が、動画から複数の区間をユーザに指定させる指定ステップと、前記複数の区間の動画における位置を記憶手段に記憶する記憶ステップと、結合手段が、前記複数の区間の動画を結合する結合ステップと、サムネイル表示指示を受けると、表示手段が、前記複数の区間のうち所定数の区間の先頭画像それぞれを１つのサムネイル領域に表示する表示ステップとを備えたことを特徴とする。
【００１２】
本発明のプログラムは、コンピュータに、動画から複数の区間をユーザに指定させる指定ステップと、前記複数の区間の動画における位置を記憶手段に記憶させる記憶ステップと、前記複数の区間の動画を結合する結合ステップと、サムネイル表示指示を受けると、表示手段が、前記複数の区間のうち所定数の区間の先頭画像それぞれを１つのサムネイル領域に表示させる表示ステップとを実行させることを特徴とする。
【発明の効果】
【００１３】
本発明によれば、サムネイルの元となる動画の識別力を高めることができるサムネイル生成装置を提供することができる。
【発明を実施するための最良の形態】
【００１４】
以下、図面を参照して本発明を実施するための最良の形態について説明する。まず、本発明の実施の形態の概略を簡単に説明すると、本実施の形態のサムネイル生成装置は、ユーザに編集された動画の各区間（編集の始点から終点）の先頭フレームの画像を複数の所定数１つのサムネイルに表示する。以下、詳細に説明する。
【００１５】
図１は、本実施の形態のサムネイル生成装置１０のブロック図である。図１を参照すると、サムネイル生成装置１０は、編集手段１１と、サムネイル生成・表示手段１２とを有する。これらの手段は、プログラムを実行することによりサムネイル生成装置１０が論理的に備えるものである。
【００１６】
次に、本実施の形態のサムネイル生成装置１０の動作を説明する。
【００１７】
図２は、本実施の形態のサムネイル生成装置１０による編集の動作を説明するためのフローチャートである。
【００１８】
図２を参照すると、ユーザが編集対象番組を選択し（ステップＳ１）、区間を選択し（ステップＳ２）、所定の操作をすると、編集手段１１は、区間の結合をし（ステップＳ３）、編集後の番組とともに対応する区間情報を図示せぬ記録媒体に記録する（ステップＳ４）。ここで区間情報とは、少なくともそれぞれの区間の始点である。
【００１９】
図３は、本実施の形態のサムネイル生成装置１０によるサムネイルの生成・表示の動作を説明するためのフローチャートである。
【００２０】
図３を参照すると、録画番組一覧をサムネイル付きで表示する際、サムネイル生成・表示手段１２は、ステップＳ４で保存された区間情報があるか否か判断する（ステップＴ１）。
【００２１】
ステップＴ１にて、区間情報がある場合、つまり編集されている場合、サムネイル生成・表示手段１２は、その区間数が、分割設定数（所定の閾値）より多いか否か判断する（ステップＴ２）。
【００２２】
ステップＴ２にて、区間数が、分割設定数より多い場合、サムネイル生成・表示手段１２は、先頭から分割設定数分の区間の先頭画像を抽出する（ステップＴ３）。
【００２３】
ステップＴ２またはＴ３に次いで、サムネイル生成・表示手段１２は、サムネイル表示領域を分割して、各区間の先頭画像を表示する（ステップＴ４）。
【００２４】
これらの処理を繰り返すことにより全ての録画番組のサムネイルが生成され、表示される。
【００２５】
図４は、サムネイル生成・表示手段１２によるサムネイル表示方法の他の例を説明するためのフローチャートである。
【００２６】
ところで、１枚のサムネイル領域を分割して複数のサムネイルを表示する他に、領域を分割せず一定時間毎に各編集区間の先頭画像を表示する方法でもよい。図３を用いて説明したサムネイル表示方法では、サムネイル領域を分割して表示していたが、この例では、ユーザがサムネイルをクリックする毎に紙芝居のごとく、サムネイル生成・表示手段１２は、次の区間の先頭画像を表示する。
【００２７】
また、分割数が多すぎて各サムネイルが小さすぎる場合には、マウスカーソルをあてた画像だけ拡大して表示するという方法もとることができる。
【００２８】
このように本実施の形態によれば、特に同じ番組を複数のパターンで編集した場合など、対象番組がどのように編集されたのかを知ることが可能となるとともに、互いを視覚的に識別することが容易となる。
【００２９】
なお、本実施の形態では、編集区間を元にサムネイルを生成していたが、プレイリストなどを生成する際のブックマーク点の画像を元に、上述した実施の形態と同様にサムネイルを生成することもできる。
【図面の簡単な説明】
【００３０】
【図１】サムネイル生成装置１０のブロック図である。
【図２】編集の動作を説明するためのフローチャートである。
【図３】サムネイルの生成・表示の動作を説明するためのフローチャートである。
【図４】サムネイル表示方法の他の例を説明するためのフローチャートである。
【符号の説明】
【００３１】
１０  サムネイル生成装置
１１  編集手段
１２  サムネイル生成・表示手段
【図１】
2010081277.tif 000003
【図２】
2010081277.tif 000004
【図３】
2010081277.tif 000005
【図４】
2010081277.tif 000006